(57)【要約】【課題】洗浄ノズルより噴射された洗浄液の飛散を極力抑えるようにしたマスク洗浄装置を提供する。【解決手段】洗浄の対象となるマスクを立設した状態で固定するマスク固定プレート５、及びマスク固定シリンダ４を備える。また、これらに固定されたマスクの表面側、及び裏面側の双方に配置され、これらの各面に洗浄液を噴射する洗浄ノズル６ａ，６ｂと、該洗浄ノズル６ａ，６ｂを上下方向にスライド移動させる昇降用のシリンダ９ａ，９ｂと、洗浄ノズル６ａ，６ｂの近傍に設置され、該洗浄ノズル６ａ，６ｂと共に昇降移動し、断面湾曲形状に形成され、開口部がマスク側に向いて配置された飛散防止カバー１１ａ，１１ｂとを備える。これにより、洗浄液の飛散を防止することができ、駆動装置等への洗浄液の付着を防止することが可能となる。【選択図】      図１
2004262044.tif 000002
【特許請求の範囲】
【請求項１】
スクリーン印刷に用いるマスクを洗浄するマスク洗浄装置において、
洗浄の対象となるマスクを、立設した状態で固定する固定手段と、
前記固定手段に固定されたマスクの第１の面側、及び第２の面側の双方に配置され、当該第１の面、第２の面に洗浄液を噴射する洗浄ノズルと、
前記洗浄ノズルを上下方向にスライド移動させる昇降手段と、
前記洗浄ノズル近傍に設置され、当該洗浄ノズルと共に昇降移動し、断面湾曲形状に形成され、開口部が前記第１の面、及び第２の面に向いて配置された飛散防止手段と、
を具備したことを特徴とするマスク洗浄装置。
【請求項２】
前記固定手段の下方に設けられ、前記洗浄ノズルより噴射された洗浄液を回収する回収手段を備えたことを特徴とするマスク洗浄装置。
【請求項３】
前記第１の面、及び第２の面のうちのいずれか一方の面側に配置された前記洗浄ノズルを、マスクに対して進退移動させる進退用シリンダを備えたことを特徴とする請求項１または請求項２のいずれかに記載のマスク洗浄装置。
【請求項４】
前記飛散防止手段は、上端部とマスクとの間隔が、下端部とマスクとの間隔よりも小さくなるように設定されることを特徴とする請求項１〜請求項３のいずれか１項に記載のマスク洗浄装置。
【発明の詳細な説明】
【０００１】
【発明の属する技術分野】
本発明は、スクリーン印刷に用いられるマスクを洗浄するマスク洗浄装置に係り、特に、洗浄時に用いる洗浄液の飛散を防止する技術に関する。
【０００２】
【従来の技術】
一般に、スクリーン印刷に用いられるマスクは、使用頻度が多くなるとクリーム半田が付着し、或いは目詰まりすることがあるので、定期的に洗浄する必要がある。このようなマスクの洗浄には、マスク洗浄機が用いられている。この種のマスク洗浄機の従来例として、例えば、特開平１０−７１７０５号公報（以下、特許文献１という）に記載されたスクリーン版洗浄装置が知られている。
【０００３】
該特許文献１では、スクリーン版を立てた状態でホルダに固定し、該スクリーン版の両面側にそれぞれ設けられた該洗浄ノズルから洗浄液を噴射する。更に、ホルダを上下方向にスライド移動させて、洗浄液がスクリーン版全体に当たるようにする。
【０００４】
また、スクリーン、及びこれを支持するホルダ、及び洗浄ノズルは、ケーシングにより全体が覆われており、更に、このケーシングの下方には、ロート状の仕切板が形成されている。従って、洗浄ノズルより噴射された洗浄液は、スクリーン版を洗浄した後、仕切板を介して、タンクに回収される。
【０００５】
【特許文献１】
特開平１０−７１７０５号公報（図１）
【０００６】
【発明が解決しようとする課題】
しかしながら、上述の特許文献１に記載された洗浄装置では、洗浄ノズルより噴射された洗浄液が、スクリーン版に当たった後、ケーシング内全体に飛散してしまうので、ケーシング内の洗浄作業が容易でない。また、スクリーン版の昇降駆動部の部品に洗浄液が付着するので、メンテナンス時に多くの労力が強いられる。
【０００７】
この発明は、このような従来の課題を解決するためになされたものであり、その目的とするところは、洗浄ノズルより噴射された洗浄液の飛散を極力抑えるようにしたマスク洗浄装置を提供することにある。
【０００８】
【課題を解決するための手段】
上記目的を達成するため、本願請求項１に記載の発明は、スクリーン印刷に用いるマスクを洗浄するマスク洗浄装置において、洗浄の対象となるマスクを、立設した状態で固定する固定手段と、前記固定手段に固定されたマスクの第１の面側、及び第２の面側の双方に配置され、当該第１の面、第２の面に洗浄液を噴射する洗浄ノズルと、前記洗浄ノズルを上下方向にスライド移動させる昇降手段と、前記洗浄ノズル近傍に設置され、当該洗浄ノズルと共に昇降移動し、断面湾曲形状に形成され、開口部が前記第１の面、及び第２の面に向いて配置された飛散防止手段と、を具備したことを特徴とする。
【０００９】
また、請求項２に記載の発明は、前記固定手段の下方に設けられ、前記洗浄ノズルより噴射された洗浄液を回収する回収手段を備えたことを特徴とする。
【００１０】
請求項３に記載の発明は、前記第１の面、及び第２の面のうちのいずれか一方の面側に配置された前記洗浄ノズルを、マスクに対して進退移動させる進退用シリンダを備えたことを特徴とする。
【００１１】
請求項４に記載の発明は、前記飛散防止手段は、上端部とマスクとの間隔が、下端部とマスクとの間隔よりも小さくなるように設定されることを特徴とする。
【００１２】
【発明の実施の形態】
以下、本発明の実施形態を図面に基づいて説明する。図１は、本発明に係るマスク洗浄装置の、一実施形態の構成を示す正面図、図２は、同平面図である。図示のように、このマスク洗浄装置１は、全体が直方体形状をなすケーシング部２と、該ケーシング部２の下部に設けられた断面略Ｖ字形状をなすホッパー部（回収手段）３から構成されている。
【００１３】
ケーシング部２は、中央部に洗浄対象となるマスクを固定するためのマスク固定プレート（固定手段）５が設けられており、該マスク固定プレート５と対向する部位には、マスク固定シリンダ（固定手段）４が設けられている。従って、マスク固定プレート５と接触するように洗浄対象となるマスクを設置し、この状態でマスク固定シリンダ４のストロークを延出させることにより、マスク固定プレート５にマスクを固定することができる。
【００１４】
また、マスク固定プレート５にマスクを固定した際の、マスクの表面側（第１の面側）、及び裏面側（第２の面側）となる部位には、洗浄液を噴射するための洗浄ノズル６ａ，６ｂが設置されている。
【００１５】
洗浄ノズル６ａ，６ｂは、ブラケット７ａ，７ｂに固定されており、各ブラケット７ａ，７ｂは、上下方向の沿って立設されたレール８ａ，８ｂに沿ってスライド移動可能に取り付けられている。
【００１６】
また、ケーシング部２の、対向する２つの面の内側近傍には、空気圧で動作するシリンダ（昇降手段）９ａ，９ｂが立設されており、該シリンダ９ａ，９ｂのストローク部１０ａ，１０ｂは、前述したブラケット７ａ，７ｂと連結されている。従って、シリンダ９ａ，９ｂのストローク部１０ａ，１０ｂが上下方向に移動すると、これに伴って、ブラケット７ａ，７ｂがレール８ａ，８ｂに沿ってスライド移動することになり、ひいては洗浄ノズル６ａ，６ｂが上下方向の動作する。
【００１７】
更に、ブラケット７ｂには、洗浄ノズル６ｂ進退用のシリンダ１９が取り付けられており、マスク着脱時には洗浄ノズル６ｂを後退させて、各洗浄ノズル６ａ，６ｂの間隔を広げるようにし、マスク洗浄時には、洗浄ノズル６ｂを延出させて、洗浄液がマスクに近接して噴射されるように切り換える操作が行われる。
【００１８】
また、ブラケット７ａ，７ｂには、マスク側に向けて開口する断面Ｕ字形状（湾曲形状）の飛散防止カバー（飛散防止手段）１１ａ，１１ｂが設けられている。
【００１９】
図３は、マスク２２と、洗浄ノズル６ａ，６ｂ、及び飛散防止カバー１１ａ，１１ｂの位置関係を模式的に示す説明図であり、図示のように、マスク２２と洗浄ノズル６ａ，６ｂとの間隔Ｔ１は、２〜３［ｍｍ］程度とされている。また、飛散防止カバー１１ａ，１１ｂの上端部ｐと、マスク２２との間隔Ｔ２は１０［ｍｍ］程度とされ、下端部ｑとマスク２２との間隔Ｔ３は３０［ｍｍ］程度とされている。
【００２０】
また、図１，図２に示されるように、ホッパー部３の下端部には、ストレーナ１２が取り付けられており、該ストレーナ１２を介して使用済みの洗浄液が回収され、再利用されるようになっている。
【００２１】
更に、圧縮空気を生成するコンプレッサ１３と、使用済みの洗浄液を回収するための洗浄液回収ポンプ１４とを備えている。
【００２２】
図４は、圧縮空気の配管系統、及び洗浄液の配管系統を示すフロー図である。まず、圧縮空気の配管から説明すると、コンプレッサ１３の出力部は、エアタンク１６、ストップバルブＶ１を介して、電磁弁ＳＶ１に接続され、更に、この電磁弁ＳＶ１の出力端は、電磁弁ＳＶ２，ＳＶ３，ＳＶ４に接続されている。
【００２３】
電磁弁ＳＶ２の出力端は、扉開閉用のシリンダ１７に接続され、電磁弁ＳＶ３の出力端は、洗浄ノズル６ａ，６ｂ昇降用のシリンダ９ａ，９ｂに接続され、電磁弁ＳＶ４の出力端は、電磁弁ＳＶ５、及びレギュレータＲＧ１に接続されている。
【００２４】
電磁弁５の出力端は、逆止弁Ｖ２を介して洗浄液タンク２１に導入されている。また、レギュレータＲＧ１の出力端は、電磁弁ＳＶ６、及び逆止弁Ｖ３を介して、洗浄ノズル６ａ，６ｂに導入されている。
【００２５】
他方、洗浄液の配管系統について説明すると、回収された洗浄液を蓄積する回収液タンク１８の出力端側には、ストップバルブＶ５、及び電磁弁ＳＶ７、ＳＶ８が設けられ、電磁弁ＳＶ８の出力端は、洗浄液タンク２１に導入されている。また、該洗浄液タンク２１は、逆止弁Ｖ４を介して洗浄ノズル６ａ，６ｂと接続されている。更に、洗浄液タンク２１には、ドレン抜きバルブＶ６が設けられている。
【００２６】
次に、上述のように構成された本実施形態に係るマスク洗浄装置１の動作について説明する。洗浄対象となるマスクを洗浄する際には、まず、図１，図２に示すマスク固定プレート５にマスクを設置し、この状態でマスク固定シリンダ４を延出させて、マスクをマスク固定プレート５に固定する。なお、扉の開閉操作は、図４に示した電磁弁ＳＶ２、及び扉開閉シリンダ１７により行われる。
【００２７】
その後、ノズル進退用のシリンダ１９を延出させ、洗浄ノズル６ｂをマスク側へ移動させる。この状態で、図４に示したコンプレッサ１３を起動させ、電磁弁ＳＶ１，ＳＶ４，ＳＶ５をオンとすると、洗浄液タンク２１に圧縮空気が導入され、該洗浄液タンク２１に蓄積されている洗浄液が空気圧により、洗浄ノズル６ａ，６ｂへと送出される。
【００２８】
これにより、加圧された洗浄液が洗浄ノズル６ａ，６ｂより噴射されるので、マスク固定プレート５に固定されたマスクを洗浄することができる。そして、電磁弁ＳＶ３をオンとして、洗浄ノズル６ａ，６ｂ昇降用のシリンダ９ａ，９ｂを昇降動作させることにより、マスク全体に洗浄液を噴射することができ、マスク全体を満遍なく洗浄することができる。
【００２９】
この際、前述したように、洗浄ノズル６ａ，６ｂの周囲には飛散防止カバー１１ａ，１１ｂが取り付けられているので、噴射された洗浄液はケーシング部２全体に飛散することなく、当該飛散防止カバー１１ａ，１１ｂにて収集され、ホッパー部３に落ちる。その後、この洗浄液はホッパー部３にて回収され、ストレーナ１２により不純物が除去された後、回収液タンク１８に戻される。
【００３０】
次いで、図４に示す電磁弁ＳＶ５をオフとし、電磁弁ＳＶ６をオンとする切り換え操作を行う。すると、洗浄ノズル６ａ，６ｂにはコンプレッサー１３より出力される圧縮空気が導入されるので、洗浄液が付着しているマスクにエアーが噴射され、当該マスクを乾燥させることができる。こうして、洗浄液の噴射によるマスクの洗浄が行われるのである。
【００３１】
このようにして、本実施形態に係るマスク洗浄装置１では、洗浄対象となるマスクに洗浄液を噴射し、且つ洗浄ノズル６ａ，６ｂを上下方向に移動させることにより、該マスクを満遍なく洗浄することができる。また、洗浄ノズル６ａ，６ｂを断面Ｕ字形状の飛散防止カバー１１ａ，１１ｂで覆うことにより、洗浄液の飛散を防止することができ、また、洗浄後の使用済み洗浄液は、ホッパー部３にて回収され、回収液タンク１８内に戻されるので、洗浄液を有効に再利用することができる。
【００３２】
また、洗浄液がケーシング部２内に飛散しないので、駆動装置等に洗浄液が付着することがなく、メンテナンス時における労力を軽減することができる。
【００３３】
なお、本実施形態では、飛散防止カバー１１ａ，１１ｂとして、断面Ｕ字形状のものを用いる例について説明したが、本発明はこれに限定されるものではなく、断面「コ」字形状、「く」字形状等の、洗浄液の飛散を防止できる形状であれば、適用可能であることは勿論である。
【００３４】
【発明の効果】
以上説明したように、本発明に係るマスク洗浄装置では、飛散防止手段を備えることにより、洗浄ノズルより噴射される洗浄液のケーシング内への飛散を防止することができる。従って、各駆動装置などの、ケーシング内に搭載される各種機器への洗浄液の付着を防止することができ、メンテナンス等の作業を容易に行うことができる。
【００３５】
また、一度噴射された使用済みの洗浄液は、回収手段により回収されて再利用されるので、洗浄液を有効に用いることができる。更に、マスクの一方の面側に配置された洗浄ノズルは、進退用シリンダにより進退動作させることができるので、マスク着脱時には洗浄ノズルを後退させて対向する洗浄ノズル間の間隔を広くし、洗浄時には洗浄ノズルをマスクに近接させて効率の良い洗浄が可能となる。
【００３６】
また、飛散防止手段の上端部とマスクとの間隔が、下端部とマスクとの間隔よりも小さくなるように設定されるので、洗浄液に飛散をより効果的に防止することができ、洗浄液を効率良く回収することができる。
【図面の簡単な説明】
【図１】本発明の一実施形態に係るマスク洗浄装置の構成を示す側面図である。
【図２】本発明の一実施形態に係るマスク洗浄装置の構成を示す平面図である。
【図３】洗浄対象となるマスクと洗浄ノズル、及び飛散防止カバーの位置関係を模式的に示す説明図である。
【図４】圧縮空気、及び洗浄水の供給系統を示すフロー図である。
【符号の説明】
１  マスク洗浄装置
２  ケーシング部
３  ホッパー部
４  マスク固定シリンダ（固定手段）
５  マスク固定プレート（固定手段）
６ａ，６ｂ  洗浄ノズル
７ａ，７ｂ  ブラケット
８ａ，８ｂ  レール
９ａ，９ｂ  シリンダ（昇降手段）
１０ａ，１０ｂ  ストローク部
１１ａ，１１ｂ  飛散防止カバー（飛散防止手段）
１２  ストレーナ
１３  コンプレッサ
１４  洗浄液回収ポンプ
１６  エアタンク
１７  シリンダ（扉開閉用）
１８  回収液タンク
１９  シリンダ（進退用シリンダ）
２１  洗浄液タンク
２２  マスク
【図１】
2004262044.tif 000003
【図２】
2004262044.tif 000004
【図３】
2004262044.tif 000005
【図４】
2004262044.tif 000006